Podtech/llm-jp-corpus-v4-ja_patent huggingface dataset:
(57)【要約】　　　（修正有）【課題】従来の書籍形態をとる写真集は、中綴じや無線綴じ等の綴じ方をとることが多く、その場合不特定の指定されたページを常時開示しておくことは構造上障害が生じやすい。また写真集本体を常時立てておくことも難しい。【解決手段】まず写真集の綴じ代をリング上にすることで、ページをめくることを簡便にし、同じに不特定の指定ページを常時開示しておくことを可能にした。そして写真集を収納するブックケース４の一側面を画寸と同じサイズでくりぬき、その面にあわせるように鑑賞したい写真を差し込む。その上でくりぬかれた側面の反対側の面に取り付けられた衝立６を立てることにより、フォトフレームに入れた写真と同じような形態になり、飾れる写真集の目的が達成される。【選択図】図１
0003097177.tif 000002
【実用新案登録請求の範囲】
【請求項１】
写真を額に入れた様に飾れることを特徴とする写真集。
【考案の詳細な説明】
【０００１】
【考案の属する技術分野】この発明は、写真を飾るための写真集に関する。
【０００２】
【従来の技術】ありません。
【０００３】
【考案が解決しようとする課題】しかしながら、以上の従来技術によれば、書籍の形態である中綴じや無線綴じ等の綴じ方をとっている写真集が多く、不特定の指定されたページを随時開示しておくことは構造上難しく、また平置き以外であると設置の状態が不安定である。そこでこの発明はフォトフレームのように飾ることのできる写真集を提供することを課題とする。
【０００４】
【課題を解決するための手段】以上の課題を解決するために、請求項１の発明は、図１に示すように写真集１の綴じ代２をリング状に加工することにより、簡便に誌面を開示することが可能となる。またブックケース３の一面４を、画寸と同等のサイズにくりぬいた状態に加工し、その反対面５に衝立６を設けることにより、額縁としての用途も備えられる。そこでブックケースに写真集を差し込むことにより、飾ることのできる写真集が完成する。
【０００５】
【発明の実施の形態】この発明の一実施形態を、図１に示す。写真集１の綴じ代２は複数のリングによって綴じられている。またブックケース３の一面４を画寸同にくりぬき、また一面４の反対側の面５に埋め込むことができる衝立６を設ける。
【０００６】
【実施形態の効果】この実施形態によれば、綴じ代２によって不特定のページが簡便に開かれた状態となり、閲覧したい写真を一面４の側に向け、ブックケース３に入れ、反対面５に設置されている衝立６を立て、フォトフレームのようにする。したがって写真集が一枚の写真を飾っているようになり、常時指定した写真を鑑賞することができるようになる。
【０００７】
【他の実施形態】衝立６を引き出さなければ、写真集１をブックケース３に入れることにより、通常の書籍と同じような形態もとることができる。
【０００８】
【発明の効果】以上説明したように、この考案により、写真集がフォトフレームに入れた写真のような鑑賞の形態もとることができる。
【図面の簡単な説明】
【図１】ブックケース側面４側から見た、この考案の一実施形態を示す斜視図である。
【図２】衝立６側から見た、この考案の一実施形態を示す斜視図である。
【符号の説明】
１　写真集本体　　　　　　　　　　２　写真集綴じ代
３　ブックケース　　　　　　　　　４　ブックケース側面
５　ブックケース背側面　　　　　　６　衝立
【図１】
0003097177.tif 000003
【図２】
0003097177.tif 000004
【手続補正書】
【提出日】平成15年3月27日(2003.3.27)
【手続補正１】
【補正対象書類名】明細書
【補正対象項目名】実用新案登録請求の範囲
【補正方法】変更
【補正の内容】
【実用新案登録請求の範囲】
【請求項１】
写真の画寸同に一側面を刳り貫き、またその刳り貫いた側面に対して反対側の面に衝立を設けることによって、フォトフレームの機能を備えたブックケースに、綴じ代をリング状にして簡便にページを開けるようになった写真集を挿入することによってできる、写真を飾ることのできる写真集。
(57)【要約】　　　（修正有）【課題】強風時キッドを利用する事により傘の損害防止をする。【解決手段】傘の骨の先端２にストッパー５を装着させ、傘を開き組６及び中央集結部で、傘中央部で張力を調整し余剰部ストッパーで余剰分を束ねる事で、風力に対しての抵抗が出来傘損害防止に役立つ。【選択図】　　　図１
0003097176.tif 000002
【実用新案登録請求の範囲】
【請求項１】
強風時に風が傘地に与える風力に対して損害を免れる脱着式で風力の程度により使用の選択が出来、既存の傘にも対応可能
【考案の詳細な説明】
【０００１】本考案は強風時の傘に対する損害を防御に関するもの
【考案の属する技術分野】
本考案は傘の骨の先端と芯との張力を利用した傘に関するものである。
【０００２】
【従来の技術】
従来は特に無いと思う
【０００３】
【考案が解決しようとする課題】
従来はビニール傘をはじめ使い捨てか、対応する術がなかった
【０００４】
【課題を解決するための手段】
キッドを装着する事により、傘を損害から守り、無駄な出費を抑える事が出来る
【０００５】
【考案の実施の形態】
傘を開いた際、骨の部分（標準８本）の先端にストッパーを１つずつ装着させるストッパーには紐が付いており、これを中央に各々終結させる、紐には中央ゴムパッキンに集結する様になっており、傘の大きさにより紐の長さ、傘地の張力に応じてゴムパッキン部で調整、紐の下端をゴムストッパーにて固定する。
【図面の簡単な説明】
【図１】本考案の強風時の傘防御キッドの一実施例を示す横断面図である
【図２】本傘防御キッドを示す図面である
【符号の説明】
１　傘本体
２　骨の先端
３　傘地
４　芯の部分
５　ストッパー
６　紐
７　中央集結部
８　紐余剰部
９　留め具
１０余剰部ストッパー
【図１】
0003097176.tif 000003
【図２】
0003097176.tif 000004
【手続補正書】
【提出日】平成15年3月26日(2003.3.26)
【手続補正１】
【補正対象書類名】明細書
【補正対象項目名】実用新案登録請求の範囲
【補正方法】変更
【補正の内容】
【実用新案登録請求の範囲】
【請求項１】
傘の骨の先端に装着したストッパーと、芯の部分（支柱）の中央部付近に装着する中央ゴムバッキン、及び、その支柱下部に装着する調整用のゴムストッパーをそれぞれ紐で連結する傘防御キット。
(57)【要約】　　　（修正有）【課題】四六時中写真を見るのではなくて、普段は扉を閉めて見えなくした方がいいという場合がある。また、人には見せたくない写真等がある時などは、扉付の写真立てが必要になると思われる。【解決手段】開閉式の両開きの扉を取り付ける。写真立ての開口部を家の窓に見立てて両開きの格子扉、或いは板戸を設けた。小さな取っ手を取り付けて開閉を容易にした。【選択図】　図１
0003097173.tif 000002
【実用新案登録請求の範囲】
【請求項１】
写真立てに両開き扉を取り付ける。
【考案の詳細な説明】
【００１】
【考案の属する技術分野】
本考案は写真立てを改良し、遊びの精神を取り入れ、また、プライバシーを守るための工夫をしたものである。
【００２】
【従来の技術】
従来の写真立ては写真を四六時中見ることを念頭においており、見たくない時、また、他人に見られたくない場合は想定していない。そのため、写真立てに扉をつけるという発想がなかった。
【００３】
【考案が解決しようとする課題】
四六時中写真を見るのではなくて、普段は扉を閉めて見えなくした方がいいという場合がある。また、人には見せたくない写真等がある時などは、扉付の写真立てが必要になると思われる。
【００４】
【課題を解決するための手段】
開閉式の両開きの扉を取り付ける。写真立ての開口部を家の窓に見立てて両開きの格子扉、或いは板戸を設けた。小さな取っ手を取り付けて開閉を容易にした。
【００５】
【考案の実施の形態】
図１の斜視図のように普通の写真立てに家屋の窓扉に相当する両開きの格子扉を取り付けた形態である。また、図１０は扉を閉めた時に中が全く見えないようにした板戸の場合である。
【００６】
【実施例】
図９斜視図のように後ろ側から写真をはめ込み、図１のように見るときに扉を開けるものである。
【００７】
【考案の効果】
見られたくない写真等、プライバシーを保護できる。また、扉を開ける度に写真と対面できる。子供の頃の「いないないばあー」の遊びの効果がある。
【００８】
【図面の簡単な説明】
【図１】扉を半ば開いた斜視図。
【図２】扉を半ば開いて、後ろのカバーを外した斜視図。
【図３】扉を半ば開いたときの立面図。
【図４】扉を閉じた時の斜視図。
【図５】扉を閉じた時の正面図。
【図６】扉を閉じた時の平面図。
【図７】扉を閉じた時の側面図。
【図８】背面図。
【図９】扉を閉じて、後ろカバーを外した斜視図。
【図１０】板扉の場合の斜視図。
【図１】
0003097173.tif 000003
【図２】
0003097173.tif 000004
【図３】
0003097173.tif 000005
【図４】
0003097173.tif 000006
【図５】
0003097173.tif 000007
【図６】
0003097173.tif 000008
【図７】
0003097173.tif 000009
【図８】
0003097173.tif 000010
【図９】
0003097173.tif 000011
【図１０】
0003097173.tif 000012
【手続補正書】
【提出日】平成15年4月25日(2003.4.25)
【手続補正１】
【補正対象書類名】明細書
【補正対象項目名】実用新案登録請求の範囲
【補正方法】変更
【補正の内容】
【実用新案登録請求の範囲】
【請求項１】
両開き扉を取り付けた写真立て。
(57)【要約】【課題】従来のアルファベット大文字のみの表記のキーボードにおいてはシフトキーを同時に押さずに“Ａ”の表記されたキー押すとモニター画面には“ａ”が表記される、これはアルファベット大文字、小文字を文字として理解していない人（特に低年齢児童）ではアルファベット大文字、小文字を図形として理解するためにキーボードにない図形が表示されると混乱要因となる。インターネットで使用される文字はアルファベット半角小文字であり、ホームページアドレス、電子メールアドレス入力で使用される小文字入力でもキーボードに小文字がないために入力が困難となる。【解決手段】従来のキーボードのキー上にアルファベット小文字を追加表示する。【選択図】　　　　　図１
0003097102.tif 000002
【実用新案登録請求の範囲】
【請求項１】
キーボードのキーにアルファベット小文字を表記することによりコンピューター使用時、キーボード入力でのアルファベット大文字、小文字の区別がわかり易くなるキーボード。
【考案の詳細な説明】
【０００１】
【考案が解決しようとする課題】
アルファベットを理解していない人（特に低年齢児童）ではアルファベット大文字、小文字を文字ではなく図形として認識するために従来のアルファベット大文字表記のみのキーボードではキー上にない小文字を入力することがとても困難である。
【０００２】
【課題を解決するための手段】
今までのキーボードのキーにアルファベット小文字を追加表記する。
【０００３】
【考案の効果】
キーボードにアルファベットの大文字、小文字が表記されることにより、アルファベットを理解していない人（特に低年齢児童）には使い易い。
【図面の簡単な説明】
【図１】キーボードのキー上にアルファベット小文字を表記したものである。
【符号の説明】
１　アルファベット小文字
２　キーボード本体
【図１】
0003097102.tif 000003
(57)【要約】【課題】容易かつ安全に持ち運びすることができる盆灯籠を提供する。【解決手段】竹製の支柱１の上端に、竹と紙製の灯籠本体部２を設けた盆灯籠であって、前記支柱１の上端より若干下位を水平に切断して柱部１ａと灯籠本体部２ａとに分割し、前記柱部１ａの上端に、上端部に螺結体の一方のネジ部３ａを有する下筒体３の下部を嵌入して釘５で止めると共に、前記灯籠本体部２ａの下端に、下端部に螺結体の他方のネジ部４ａを有する上筒体４を嵌入して釘５で止め、前記下筒体３の螺結体の一方のネジ部３ａを、上筒体４の螺結体の他方のネジ部４ａに螺合して、前記柱部１ａと灯籠本体部２ａとを結合自在とする。【選択図】　　　図１
0003097110.tif 000002
【実用新案登録請求の範囲】
【請求項１】
竹製の支柱（１）の上端に，竹と紙製の灯籠本体（２）を設けた盆灯籠であって、前記支柱の上端より若干下位を水平に切断して柱部（１ａ）と灯籠本体部（２ａ）とに分割し、前記柱部の上端に，上端部に螺結体の一方のネジ部（３ａ）を有するところの下筒体（３）の下部を嵌入して釘（５）で止めると共に，前記灯籠本体部の下端に，下端部に螺結体の他方のネジ部（４ａ）を有するところの上筒体（４）を嵌入して釘で止め、前記下筒体のネジ部を，上筒体のネジ部に螺合して，前記柱部と灯籠本体部とを結合自在としてなる盆灯籠。
【考案の詳細な説明】
【０００１】
【考案の属する技術分野】本考案は、分割した状態で容易に、かつ安全に運搬することのできる盆灯籠に関するものである。
【０００２】
【従来の技術】真宗の安芸門徒が多い広島県地方等では、盂蘭盆（うらぼん）に死者を供養するため、墓地に盆灯籠を灯す風習がある。この盆灯籠は竹と紙で作られており、比較的軽量ではあるものの、その高さが大人の背丈程度と大きい。人々は、盂蘭盆になると、この盆灯籠を購入し、それを自動車や電車等によって墓地まで持ち運んでいる。
【０００３】
【考案が解決しようとする課題】この盆灯籠は比較的軽量ではあるものの、その高さが大人の背丈程度もあって嵩張るので、持ち運びがきわめて運搬が厄介である。また、例えば、小型自動車で運ぶと、その先端部分が車窓から飛び出してしまい、危険でもある。
【０００４】
本考案は、こうした問題に鑑み創案されたもので、容易かつ安全に持ち運びすることができる盆灯籠を提供することを課題とする。
【０００５】
【課題を解決するための手段】図１乃至図５を参照して説明する。本考案は、竹製の支柱１の上端に、竹と紙製の灯籠本体２を設けた盆灯籠であって、前記支柱１の上端より若干下位を水平に切断して柱部１ａと灯籠本体部２ａとに分割し、前記柱部１ａの上端に、上端部に螺結体の一方のネジ部３ａを有するところの下筒体３の下部を嵌入して釘５で止めると共に、前記灯籠本体部２ａの下端に、下端部に螺結体の他方のネジ部４ａを有するところの上筒体４を嵌入して釘５で止め、前記下筒体３のネジ部３ａを、上筒体４のネジ部４ａに螺合して、前記柱部１ａと灯籠本体部２ａとを結合自在としてなるものである。
【０００６】
【考案の実施の形態】本考案に係る盆灯籠の実施形態を、図１乃至図５に示す。この盆灯籠は、竹製の支柱１の上部に、同じ１本の竹を六角錐状に割って形成した六つの枠面に紙を貼り付けた灯籠本体２を設けるものであり、かつ、支柱１の上端より若干下位を水平に切断して柱部１ａと灯籠本体部２ａとに分割されている。
【０００７】
そして、柱部１ａの上端に、上端に螺結体の一方のネジ部３ａを有するところの下筒体３の下部を嵌入して釘５で止めている。また、灯籠本体部２ａの下端に、下端部に螺結体の他方のネジ部４ａを有するところの上筒体４を嵌入して釘５で止めている。さらに、下筒体３のネジ部３ａ例えばオネジ部を、上筒体４のネジ部４ａ例えばメネジ部に螺合して、柱部１ａと灯籠本体部２ａとを結合自在としている。
【０００８】
なお、本実施形態における下筒体３と上筒体４は、共に、合成樹脂製とし、柱部１ａの上端部または灯籠本体部２ａの下端部に嵌入できる径を持つ円筒形に設定している。
【０００９】
本実施形態に係る盆灯籠の作用について説明する。当該盆灯籠を購入して持ち運びする際には、両ネジ部３ａ，４ａの螺合を解いて、柱部１ａと灯籠本体部２ａを分割する。こうして分割することによって小型化することができるので、商品の運搬が容易であり、自動車はもとより、電車やバスあるいはバイクや自転車でも少量ずつ容易に、かつ安全に墓地に運ぶことができる。
【００１０】
そして、墓地において、両ネジ部３ａ，４ａを螺合して、柱部１と灯籠本体部２ａを結合し、通常の盆灯籠と同じように立てて先祖の供養に供する。なお、小売店で組立て商品として売ってもよい。
【００１１】
なお、下筒体３は柱部１ａに、上筒体４は灯籠本体部２ａに嵌合してそれぞれ釘５で止められているが、これらは強固に嵌合する必要はない。すなわち、螺結体の一方のネジ部３ａと螺結体の他方のネジ部４ａを螺合することによって、下筒体３を止めている釘５と上筒体４を止めている釘５が、相互に引き寄せられる方向に引っ張られるので、柱部１ａおよび灯籠本体部２ａの組付きが強化され、それぞれ強固に固定されるからである。
【００１２】
【考案の効果】本考案に係る盆灯籠は、持ち運びする際に、下筒体３の螺ネジ部３ａと、上筒体のネジ部４ａの螺合を解いて、柱部１ａと灯籠本体部２ａを分割することによって小型化することができる。従って、商品の多量運搬が容易になるのみならず、自動車はもとより、電車やバスあるいはバイクや自転車でも少量ずつ容易に、かつ安全に墓地に運ぶことができる。
【図面の簡単な説明】
【図１】本考案に係る盆灯籠の分解した状態における実施形態を示す正面図である。
【図２】本考案に係る盆灯籠の結合した状態における実施形態を示す正面図である。
【図３】図２に示す盆灯籠の要部拡大部分正面断面図である。
【図４】図２に示す盆灯籠における下筒体と上筒体の分解状態を示す正面図である。
【図５】図２に示す盆灯籠における釘の止め方を示す平面断面図である。
【符号の説明】
１　　　支柱
１ａ　　柱部
２　　　灯籠本体
２ａ　　灯籠本体部
３　　　下筒体
３ａ　　螺結体の一方のネジ部
４　　　上筒体
４ａ　　螺結体の他方のネジ部
５　　　釘
【図１】
0003097110.tif 000003
【図２】
0003097110.tif 000004
【図３】
0003097110.tif 000005
【図４】
0003097110.tif 000006
【図５】
0003097110.tif 000007
(57)【要約】【課題】装飾的効果が高められ、そのため、それに載せられあるいは盛られる料理などに豪華さ華やかさを与えることができる盆または盛器あるいは花器を提供する。【解決手段】盆または盛器あるいは花器は、載置部の表面に絵や図柄や模様などを付した織布または和紙あるいは皮革の層を有し、接着剤を介して本体基材と一体と成る構造を特徴とする。【選択図】　図２
0003097101.tif 000002
【実用新案登録請求の範囲】
【請求項１】
載置部の表面に絵や図柄や模様などを付した織布または和紙あるいは皮革の層を有し、接着剤を介して本体基材と一体と成る構造を特徴とする盆または盛器あるいは花器。
【考案の詳細な説明】
【０００１】
【考案の属する技術分野】
本考案は盆または盛器あるいは花器に関する。さらに詳しくは、それに載せられ、あるいは盛られる料理などに豪華さ華やかさを与えることのできる盆または盛器あるいは花器に関する。
【０００２】
【従来の技術】
従来より食卓に料理などを運ぶ際に盆または盛器あるいは花器が用いられている。これらの盆または盛器あるいは花器の載置部の表面にはその装飾的効果を高めるために花模様など様々な模様が付されているが、何れもその装飾効果は低く、豪華さに欠けるものである。
【０００３】
【考案が解決しようとする課題】
本考案は係る従来技術の問題点に鑑みなされたものであって、装飾的効果が著しく高められ、その為、これらに載せられ、あるいは盛られた料理などに豪華さ華やかさを与えることのできる盆または盛器あるいは花器を提供することを目的とするものである。
【０００４】
【課題を解決するための手段】
上記課題を解決するために、盆または盛器あるいは花器は、載置部の表面に絵や図柄や模様などを付した織布または和紙あるいは皮革の層を有し、接着剤を介して本体基材と一体と成る構造を特徴とする。
【０００５】
【考案の実施の形態】
以下、本考案の一実施の形態を図面に基づき説明する。図２は本考案の一実施例の盆の断面図であり、符号１は盆である。この盆１は、絵や図柄や模様などを付した織布２と本体基材３で構成され接着剤を介して一体に形成される。また本体基材３の材質については特に限定はなく木、金属、プラスチック等の各種材質とすることができる。
【０００６】
【考案の効果】
本考案は盆または盛器あるいは花器の載置部の表面に絵や図柄や模様などを付した織布または和紙あるいは皮革の層を有することにより、それらに載せられまたは盛られる料理などに豪華さ華やかさを与え、料理などを引き立てることができるという従来の盆または盛器あるいは花器にない優れた効果を奏する。
【図面の簡単な説明】
【図１】本考案の一実施例の盆の平面図である。
【図２】盆の断面図である。
【符号の説明】
１　盆
２　織布
３　本体基材
【図１】
0003097101.tif 000003
【図２】
0003097101.tif 000004
(57)【要約】　　　（修正有）【課題】家庭内の灯油タンクから灯油をポリタンクに移す作業において、冬の寒い夜、重いポリタンクを持って戸外から運ぶことは老人や主婦の世帯では苦労であった。【解決手段】灯油タンクＡを家の床より高い位置に嵩上げして設置し、外壁９に透孔１２を設け、灯油タンクから送油パイプ２を屋内に挿通し、暖かい屋内で給油ができるように装置して寒い夜のポリタンクの持ち運びの苦労を解消した。【選択図】　　図１
0003097194.tif 000002
【実用新案登録請求の範囲】
【請求項１】
屋内に設置してある灯油タンクＡを、家の構造に合せて、家の床面より高く設置し、タンクＡから家の外壁面（９）を通して給油パイプ（２）を挿通し、屋内バルブ（４）及び排出口（７）を設けて屋内給油できることを特徴とした無動力屋内灯油供給装置。
【考案の詳細な説明】
【０００１】
【考案の属する技術分野】
本考案は、屋外に設けてある灯油タンクから灯油を、ポリタンクに移して重い思いをして持ち運ぶことをなくし、屋内で給油できるようにした無動力屋内灯油供給装置に関する。
【０００２】
【従来の技術】
北国の家庭では、暖房用として灯油は必需品であり、各家庭で大形の灯油タンクに灯油を備蓄し、１８リットル入りのポリ容器に詰めて屋内に運び、これから、ポンプを使用してストーブに給油するか、ストーブのカートリッジに給油をすることが一般に行われている。そして、これらの仕事は極くあたりまえのことと思われている。
【０００３】
【考案が解決しようとする課題】
しかし、家庭の主婦や高齢者が雪の夜に灯油が切れてしまい、１８リットルのポリタンクを持って寒い屋外に出てタンクから灯油を補給することが、いかにつらいか想像にあまりあるものと思う。
【０００４】
【課題を解決するための手段】
考案者は従来からの灯油の給油や重いポリタンクの運搬等の労働の点を考えて本考案に到達したものであって、本考案は、屋外に設置してある灯油タンクＡの設置する高さを、家屋の構造に合せて、その床面より約５０ｃｍ以上嵩上げして設置し、このタンクに可撓性の送油パイプを連接し、予め外壁に挿通穴を穿設しておき、この穴に前記の送油パイプを挿通して屋内に導き、屋内には油受皿を置いて、屋内に導いたパイプにバルブを設け、バルブを開くことによってポリタンクやカートリッジ缶等に灯油を充填することができることで、寒い吹雪の夜などに屋外に出ることもなく灯油の補充供給をすますことができる。
【０００５】
【考案の実施の形態】
本考案の実施の形態を添付図面により説明すると、図１は本考案の無動力屋内灯油供給装置の実施例図を示すもので、図２は別の実施例図を示している。
【０００６】
図１の構成は既設されている灯油タンクＡの利用形式を示し、図２は新築標準仕様又は住宅のリフォーム等の仕様で灯油タンクＡを新しく設置した説明図であって、図１の灯油タンクＡと若干型式が相違しているが、構造的には同一の無動力型の屋内給油式なので同一の符号を付して説明する。
【０００７】
図においてＡは屋外に設置する大型の備蓄用の灯油タンクであって、タンクローリーからタンクＡの給油口に注入充填される。この灯油タンクＡは地震などに十分耐えられるような頑丈な支柱（１）に支えられて設置されていて使用者は、図１を参照してタンク下端のバルブＢを開いて家庭用のポリタンク（１８リットル入り）に移し換えて屋内に持ち帰る。
【０００８】
しかし、この作業は寒空の雪の降る夜などでは、家庭の主婦や高齢者にとっては大変な苦労であって、これを改善するため本考案が開発されたもので、家の中の暖かい場所で灯油の補給・供給ができる装置を提供する。
【０００９】
【実施例】
図１および図２について本考案の無動力屋内灯油供給装置を説明すると、Ａは屋外に設置してある大型の灯油タンクであり、（１）はタンクＡを支える支柱であって、耐震性のことを考えて強固な構造で設置されている。本考案では無動力で灯油を供給するため、このタンクＡの高さを、この家の床面より高くなるようにタンクを嵩上げする必要がある。
【００１０】
（３）は嵩上げ台を示している。そしてこの台（３）上に前記のタンクＡを立設配置する。Ｂは給油用のバルブでタンクＡの最下位に設けてあり、本考案はこのバルブＢから可撓性の給油パイプ（２）を接続して、予め家の外壁（９）に穿設した穴（１２）を通して屋内に導く、この導かれた給油パイプは屋内バルブ（４）を設けて、この位置でポリタンク（５）やカートリッジ缶（８）に補充・供給されてストーブ等に移されて屋内の暖をとる。
【００１１】
図中の図１、図２共、図中において引出図を示しているが、引出し図は屋内のバルブ（４）の正面図であって、送油パイプ（２）が２岐に分かれていて、同時に２個の供給ができることが示されているが特にこの点については限定しない。なお図中の符号（６）は油受皿で、（８）はカートリッジである。
【００１２】
【考案の効果】
上記のように本考案の無動力灯油給油装置は、屋外のタンクと屋内の配管に落差を設けることによって、サイホン効果が得られ自動的に屋内で給油ができる。このため寒い夜屋外でのポリタンクへの灯油詰め及び運搬等がなくなり、家庭の主婦や高齢者世帯ではその利用効果は抜群に優れた作用効果を発揮できる。
【図面の簡単な説明】
【図１】無動力屋内灯油供給装置の実施例図
【図２】別の実施例図
【符号の説明】
（１）…タンク支柱
（２）…可撓性パイプ
（３）…嵩上げ台
（４）…屋内バルブ
（５）…ポリタンク
（６）…油受け皿
（７）…給油細管
（８）…カートリッジ缶
（９）…外壁
（１０）…床面
（１１）…家屋の基礎
（１２）…外壁の穴
（１３）…屋外タンクの給油穴
Ａ…大型タンク
Ｂ…元栓
【図１】
0003097194.tif 000003
【図２】
0003097194.tif 000004
【手続補正書】
【提出日】平成15年6月6日(2003.6.6)
【手続補正１】
【補正対象書類名】明細書
【補正対象項目名】実用新案登録請求の範囲
【補正方法】変更
【補正の内容】
【実用新案登録請求の範囲】
【請求項１】
屋外に設置してある灯油タンクＡを、家の構造に合せて、家の床面より高く設置し、タンクＡから家の外壁面（９）を通して給油パイプ（２）を挿通し、屋内バルブ（４）及び排出口（７）を設けて屋内給油できることを特徴とした無動力屋内灯油供給装置。
(57)【要約】【課題】便秘症者の排便時の苦痛を衛生的に緩和し、排便をしやすくする。【解決手段】便座の蓋１の裏面に電動マッサージ機２を取り付け、使用者の腰部にマッサージ作用を与えるようにした。【選択図】　図２
0003097195.tif 000002
【実用新案登録請求の範囲】
【請求項１】
洋式トイレの便座に電動マッサージ機２を取り付けて、便座使用時に使用者の腰部に作用せしめ、排便の促進、補助を行う装置。
【考案の詳細な説明】
【０００１】
【従来の技術】
従来、便秘症の者が洋式便座を使用して排便を行う際、排便促進、排便補助を行わしめる器具、装置としての考案は、実用新案公開平０７−０３９６９８指圧器具（Ａと称する）と、登録実用新案第３０１９３７５号洋式便器排便補助装置（Ｂと称する）がある。以上、Ａ、Ｂ以外には、便座使用時に排便を促進し、補助する用具、装置は未だ考案されていない。
【０００２】
【考案が解決しようとする課題】
【０００１】で示したＡの考案用具の作動実態は、使用者の両坐骨、または尾てい骨近傍を指圧器具によって指圧する方法である。これは、人体の局部近傍の肌に器具が直接接触することになるために、衛生面から、専属使用者以外の者、不特定多数の者には敬遠される問題点があった。Ｂの装置は、排便時の使用者の姿勢に関する考案であり、本考案の理学療法的発想とは分野を異にするものである。
【０００３】
【課題を解決するための手段】
本考案は、人体の腰部マッサージが、大腸、直腸を刺激して通便を促し、便秘症を改善する効果があることに着目し、洋式便座の蓋１の裏面の人体腰部に当る位置に電動マッサージ機（マッサージ機と称する）２を取り付けて、排便時に使用者の腰部にマッサージ作用を与えるようにした。マッサージ機２は衣類の上から使用可能なため衛生面の問題点も解決した。
【０００４】
【考案の効果】
腰部電動マッサージ機付き便座を使用することにより、便秘症で苦しんでいる者の腰部にマッサージ効果で快感を与え、衛生的に通便を促し、排便をし易くすることができる。
【０００５】
【使用方法の説明】
通常の便器使用の手順で便座の蓋１を開け、便器後部に位置する水洗用水槽容器面に立てかけて排便姿勢３で着座し、マッサージ機２の電源スイッチを入れる（スイッチ位置は図示せず）。
【０００６】
マッサージ機２を取り付ける便座の蓋について、既製のものを使用する場合は必要があれば補強、構造加工をする。また、マッサージ機２に替わるものとしてバイブレーター、または按摩機等でもよい（図示せず）。
【０００７】
マッサージ機２の取り付け部所については、本考案では簡便性及び経済的、構造的観点から便座の蓋の裏面にしてあるが、マッサージ機２が腰部に接触し、所期の作用目的が達成されるものであれば、蓋から独立した構造物でもよい（図示せず）。またマッサージ機２の取り付け基部をスライド構造にすることによって、当該器の位置の上下調整、移動が可能になる（図示せず）。
【図面の簡単な説明】
【図１】便座の蓋にマッサージ機を取り付けた便座の斜視図である。
【図２】使用者が便座に腰掛け、マッサージ機を使用している側面図である。
【符号の説明】
１　便座の蓋
２　マッサージ機
３　使用者
【図１】
0003097195.tif 000003
【図２】
0003097195.tif 000004
【手続補正書】
【提出日】平成15年5月26日(2003.5.26)
【手続補正１】
【補正対象書類名】明細書
【補正対象項目名】実用新案登録請求の範囲
【補正方法】変更
【補正の内容】
【実用新案登録請求の範囲】
【請求項１】
蓋付き洋式便器の、前記蓋１の裏面に電動マッサージ機２を設けて成る、排便促進、補助を行うことの出来る腰部電動マッサージ機付き便座。
【手続補正２】
【補正対象書類名】明細書
【補正対象項目名】０００７
【補正方法】削除
【補正の内容】
(57)【要約】【課題】消火器に圧力センサーを設け、消火器の異常を容易に検知できる消火器を提供する。【解決手段】消火器に圧力センサーを設け、このセンサーが圧力の低下を感知し、スイッチがＯＮとなって光が点滅するか、又はブザーが鳴って、周囲が異常を知ることができる。【選択図】　図１
0003097169.tif 000002
【実用新案登録請求の範囲】
【請求項１】
消火器Ａに圧力センサーを設け、圧力が規準値以下に低下したとき、圧力センサーＢが感知してスイッチがＯＮとなり点滅発光により異常を知らせることを特徴とした消火器。
【請求項２】
消火器Ａに圧力センサーを設け、圧力が規準値以下に低下したとき、圧力センサーＢが感知してスイッチがＯＮとなりブザーを鳴らして異常を知らせることを特徴とした消火器。
【考案の詳細な説明】
【０００１】
【考案の属する技術分野】
本考案は集合住宅やビル等に常備されている消火器のガス圧の低下を周囲に知らせる警報装置付きの消火器に関する。
【０００２】
【従来の技術】
従来消防法により消火器は年２回、日時を定めて消火器のガス圧等を点検して、消火器が正常に作用するかを確認して「ＯＫ」シールを貼るか、或は「可」のマークを付しているのみである。しかし、これ以外は無雑作に置かれているのが現状である。
【０００３】
【考案が解決しようとする課題】
したがって何かの理由で器内のガス圧が低下して万一の際に消火器の機能が低下して初期消火等の動作が発揮できないときは重大な火災となるおそれがある。
【０００４】
【課題が解決するための手段】
考案者は、永年に亘り総合病院や公共施設等に配置されている消火器の点検を行っている関係で、いくつか発見される不良消火器について、万一の場合のことを考えて本考案に到達したものであって、本考案は、圧力が低下して規準値以下になったときに、光や音などの警報を出して誰にでも異常を知らせることによって消火器の正常な管理が常に行えることのできる消火器を提供する。
【０００５】
【考案の実施の形態】
添付図面により本考案を説明すると、図１は消火器Ａの正面図であり、図２は警報を発する圧力センサーＢの構造図である。
【０００６】
消火器Ａは図示されているように形式的には通常の形状であって、この筒内には加圧用ガスと消火薬剤が充填されているもの、又は加圧された消火ガスが充填されているものが一般的に知られている。
【０００７】
本考案はこの消火器Ａ内の圧力を検知するための圧力センサーＢを設けるもので、ガスの圧力が低下したときにセンサーの圧力スイッチが作動し、これによって発光ダイオードが発光して異常を知らせるか、又はブザーが鳴って警告を発するものである。なおこの光による場合には点滅信号の方が確認し易い。
【０００８】
本考案においては前記のように点検後に「ＯＫ」マークや「可」シールを付す普通に使用されている消火器について記載したが、この消火器の中にはメーターを設けてガス圧を示しているものもある。このメーターを設けた消火器であってもガス圧が基準値以下に低下した場合には、本考案の感知器を付けて、光や音によって異状を知らせることで効果が発揮できる。
図中の符号（１）は操作レバー、（２）はノズルを示している。
【０００９】
【考案の効果】
上述のように本考案の消火器は、消火器Ａの圧力低下を光や音によって告知させるため、周囲では異常を直ちに感知して正常な機能の消火器Ａと交換することが可能となるため、防火管理に万全を期すことができる。
【図面の簡単な説明】
【図１】消火器の正面図
【図２】圧力センサーの構成図
【符号の説明】
（１）…操作レバー
（２）…ノズル
Ａ…消火器本体
Ｂ…圧力センサー
【図１】
0003097169.tif 000003
【図２】
0003097169.tif 000004
(57)【要約】　　　（修正有）【課題】緊急発信者からの意思伝達が不可能な場合でも、発信者からの緊急な位置特定通報を可能にする。【解決手段】一定形態の赤外線を発するための電源スイッチと救急車、警察などの緊急通報専用回線接続基盤とを外付け操作部により合致させる。【選択図】　なし【実用新案登録請求の範囲】
【請求項１】
一定形態赤外線を発することで、緊急時意思伝達が不可能な場合、発信者からの位置特定通報を可能にした
【考案の詳細な説明】
【０００１】
〔考案の属する技術分野〕
一定形態赤外線を発することで発信者に依る緊急位置特定通報可能通信機
【０００２】
〔従来の技術〕
大惨事、緊急発信者からの意思伝達が不可能な場合、携帯電話で例を揚げるなら従来の技術では第二、三次依頼者からの捜索依頼の基、管轄基地局了承に於ける広範囲な捜査である。
【０００３】
〔考案が解決しょうとする課題〕
緊急時、意思伝達が不可能な場合、従来の技術では、発信者から緊急位置特定通報は不可能といっても過言でない故、現在の形態ではやむなく命を落とす悲しい結果を招かざるを得ない事態に置かれる場合も多々在るのではないか、現況を是正するには発信者から緊急なる位置特定通報可能にし大惨事等に対応出来るよう考案したものである。
【０００４】
〔課題を解決するための手段〕
一定形態赤外線を発することで発信者に依る緊急位置特定　　　　　　　　　通報可能にし問題解決を計ろうとするものである。
【０００５】
〔考案の実施の形態〕
本考案は緊急通報専用回線を有し電源と合体した内部構造作動位置外付けで緊急時即刻対応可能にしたカバーローリング作動形態で在る。
【０００６】
〔実施例〕
本考案は発信者に依る作動位置外付け緊急位置特定通信機のカバーをローリングだけで、一定形態赤外線を発生させる。
〔考案の効果〕
一定形態赤外線を発することで発信者に依る緊急位置特定通報可能にし大惨事等に対応出来るよう考案したものである。
【図面の簡単な説明】
【図１】本考案による本体作動位置外付１例
【図２】本考案による本体作動位置外付例２（前面本体側面部分）
【図３】本考案による内部構造１例
【図４】本考案による内部構造作動時１例
【図１】
0003097170.tif 000002
【図２】
0003097170.tif 000003
【図３】
0003097170.tif 000004
【図４】
0003097170.tif 000005
【手続補正書】
【提出日】平成14年5月1日(2002.5.1)
【手続補正２】
【補正対象書類名】明細書
【補正対象項目名】実用新案登録請求の範囲
【補正方法】変更
【補正の内容】
【実用新案登録請求の範囲】
【請求項１】
一定形態の赤外線を発する電源スイッチ基盤と救急車、警察などの緊急専用回線基盤を有しそれらを合体させることで緊急専用回線への接続を可能した。
発信者の意思伝達が不可能な場合、一定形態の赤外線を発することで警察、救急車へ緊急専用回線への通報は基より、不特定多数への発信者の位置特定通報を可能にした装置付き通信機器。
【手続補正書】
【提出日】平成15年2月21日(2003.2.21)
【手続補正１】
【補正対象書類名】明細書
【補正対象項目名】実用新案登録請求の範囲
【補正方法】変更
【補正の内容】
【実用新案登録請求の範囲】
【請求項１】
内部構造に有する一定形態の赤外線を発する電源と通信機同時作動可能電源基盤と救急車、警察などの緊急専用回線基盤とを外部付き作動基により合致させることで緊急回線への通報は基より基地局から電磁波などによる通報者の位置特定、一定形態の赤外線を発することによる不特定多数者への位置特定通報を可能にした、
内部構造緊急回線基盤と赤外線を発する電源、通信機同時作動可能電源基盤を有する
外部構造外付作動基の構成からなる通信機。
【手続補正書】
【提出日】平成15年5月2日(2003.5.2)
【手続補正１】
【補正対象書類名】明細書
【補正対象項目名】実用新案登録請求の範囲
【補正方法】変更
【補正の内容】
【実用新案登録請求の範囲】
【請求項１】
一定形態の赤外線を発するための電源スイッチと救急車、警察などの緊急通報専用回線接続基盤とを外付け操作部により合致させることで緊急回線への通報は基より通報者の位置特定通報を可能にした、赤外線を発するための電源スイッチと緊急通報専用回線接続基盤を内部に有すると共に外付け操作部を有する通信機。
(57)【要約】　　　（修正有）【課題】餌に食いついた烏賊を、確実に引っ掛け釣り上げる事が出来る、烏賊引っ掛け治具を提供する。【解決手段】烏賊引っ掛け治具の後側吊り下げフックを、長穴にし又後バランス重りを平らに尚かつ４５度の角度で取り付け、フレームを２分割にしコイルスプリングと前垂れ防止ストッパーにする事により、浮力でフレームの角度が変化し、烏賊に針先端が当たらない様にしバランス重りの自重でフレームの角度をもとに戻し、烏賊に掛かり安く、又コイルスプリングにより上向きに折れ曲がる事に依り、烏賊に掛かってから外れにくくした。【選択図】　　図１ID=000006 HE=046 WI=070 LX=0000 LY=0000>
0003097188.tif 000002
【実用新案登録請求の範囲】
【請求項１】
烏賊引っ掛け治具の後側吊り下げフック５を長穴にし、又バランス重り６を平らにし４５度の角度で取り付ける事で、落下速度に依る浮力で掛け治具の角度を変化させる事で、烏賊に感ずかれずに引っ掛ける烏賊引っ掛け治具。
【請求項２】
烏賊引っ掛け治具の平バランス重り６と、吊り下げフック５とフレーム８の第一部材と、先端に複数の針１と糸を通す吊り下げフック２とフレーム７を有する第二部材とを、コイルスプリング３と垂れ下がり防止ストッパー４により連結する事で、烏賊方向に折れ曲がる様にし烏賊が掛かると外れにくくした烏賊引っ掛け治具。
【考案の詳細な説明】
【０００１】
【考案が解決しようとする課題】
従来の烏賊引っ掛け治具は、前後丸穴吊り下げフックの高さバランスにより烏賊と針先端の隙間を決めているが、隙間が狭いと先端が烏賊に当たり逃げる又広いと針が烏賊に掛からないという問題を有していた。
【０００２】
【考案が解決するための手段】
上記目的を達成するために、後側吊り下げフックを長穴にし又バランス重りを平らにし、フレームに対し４５度の角度で取り付け、第一部材と第二部材をコイルスプリングと垂れ下がり防止ストッパーで接続する事で、水中落下速度に依る浮力により治具に角度が付き、針と烏賊の隙間を広くし先端が烏賊に当らない様にした、又治具が烏賊又は餌に接当後バランス重りの自重で前側丸穴吊り下げフックを支点に治具の角度が戻り、針が烏賊に当り引っ掛かる様にした。又コイルスプリングに依り上に曲がる事で掛かった烏賊が外れにくくした烏賊引っ掛け治具である。
【図面の簡単な説明】
【図１】烏賊引っ掛け治具側面図である。
【図２】烏賊引っ掛け治具平面図である。
【図３】水中落下状態図である。
【図４】餌又は烏賊接当図である。
【符号の説明】
１、針
２、丸穴吊り下げフック
３、コイルスプリング
４、垂れ下がり防止ストッパー
５、長穴吊り下げフック
６、平バランス重り
７、前側フレーム
８、後側フレーム
【図１】
0003097188.tif 000003
【図２】
0003097188.tif 000004
【図３】
0003097188.tif 000005
【図４】
0003097188.tif 000006
【手続補正書】
【提出日】平成15年5月1日(2003.5.1)
【手続補正１】
【補正対象書類名】明細書
【補正対象項目名】実用新案登録請求の範囲
【補正方法】変更
【補正の内容】
【実用新案登録請求の範囲】
【請求項１】
糸先に餌を取り付け、烏賊がその餌に食いつくと、海上より糸に挿通して投下させ烏賊を引っ掛ける烏賊用引っ掛け治具であって、糸を通す長穴吊り下げフックと平らにつぶし角度４５度で取り付けたバランス重りとを有する第一部材と、先端に複数の針と糸を通す丸穴吊り下げフックとを有する第二部材とをコイルスプリング及びストッパーにより連結し、投入時落下速度による浮力で丸穴吊り下げフックを支点にバランス重りを浮かせ先端の針を下げ直接烏賊に当たらな様にし第二部材の丸穴吊り下げフックに餌が接当した時に浮力で浮いていたバランス重りが自重により下に下がる事により先端の針が烏賊に当たり引っ掛ける、浮力を利用し角度が変化する事を特徴とする引っ掛け治具である。
(57)【要約】　　　（修正有）【課題】屋根材料と樋の役目を果たす溝を一体化する。【解決する手段】平板（波板）の先端部に、台形または円弧形の樋用の溝を一体化して付けることにより、雨水を容易に集めて流すことができる。【選択図】　　図１
0003097189.tif 000002
【実用新案登録請求の範囲】
【請求項１】
雨水を集めて流すための樋用の溝を一体化して付けた、塩化ビニール・トタン・ブリキ製の平板及び波板。
【考案の詳細な説明】
【０００１】
【この考案の用途】
この考案は、平板（波板）の先端に水を集めて流す樋の役目をする溝を一体化して付けることにより、雨水を容易に流すことができるようにした屋根用の材料に関するものである。
【０００２】
【考案が解決しようとする課題】
従来、トタン等の平板（波板）には、雨水を集める樋用の溝はついていなかったため、車庫や軒などに、短い平板（波板）を使って屋根をつけたときでも、改めて雨樋を取り付けなければならなかった。そのため、樋を付けるための材料・器具代及び工事費もかかる上に、美観も損ねていた。
【０００３】
【課題を解決するための手段】
本考案は、これらの欠点を除くために、平板（波板）の先端部（１）に一体化した樋用の溝（２）をつけ、雨水を容易に集めることができるようにした。その際、左右どちらかの端に止水用の部品（３）と縦樋へ雨水を流すための導水用の部品（４）を取り付ければ、より簡単に雨水を集めて縦樋に流すことができるものである。
【０００４】
【考案の効果】
構造物の屋根となる下方先端に本考案の平板（波板）を使用し、樋の役目の溝の片方の端に接着剤にて止水用の部品（３）を取り付け、もう片方に縦樋へ雨水を流す導水用の部品（４）を接着剤にて取り付ければ、改めて樋の取り付け工事をしなくても雨水を容易に縦樋に流すことができる。もちろん、横幅が広く本考案の平板（波板）を２枚以上並べるときは、樋となる溝と溝の重なる部分に接着剤を塗布してくっつければ、雨水の漏れは完全に防ぐことができ、容易に縦樋に流すことができる。
【０００５】
【考案の工夫】
一体化する樋用の溝の形を、台形または円弧形にすることにより、輸送の時には複数枚を重ねることができ利便性が高いものとなる。
【図面の簡単な説明】
【図１】本考案の平板の斜視図と止水用・導水用部品の斜視図である。
【図２】本考案を側面から見た断面図である。
【図３−１，３−２】本考案と従来のものを比較した斜視図である。
【符号の説明】
１　平板の先端部　　　　２　樋用の溝
３　止水用の部品　　　　４　縦樋への導水用の部品
【図１】
0003097189.tif 000003
【図２】
0003097189.tif 000004
【図３−１】
0003097189.tif 000005
【図３−２】
0003097189.tif 000006
【手続補正書】
【提出日】平成15年5月8日(2003.5.8)
【手続補正１】
【補正対象書類名】明細書
【補正対象項目名】実用新案登録請求の範囲
【補正方法】変更
【補正の内容】
【実用新案登録請求の範囲】
【請求項１】
雨水を集めて流すための樋用の溝を一体化して付けた、塩化ビニール、トタン或いはブリキ製の平板或いは波板。
(57)【要約】【課題】従来、枕を形成する材質に冷却効果・放熱効果のあるものを採用したものがあるが、枕の内部全てが冷却体（炭やパイプ）で満たされているにもかかわらず現実に使用者の頭部を冷却するのは表層付近の冷却体だけであり、他のほとんどは冷却に貢献していないし、こうした冷却タイプの枕は冬期は忌避されがちであるので、通常用と冬期用の二種類の枕がなければ四季を通して安眠できないこととなる。【解決手段】多数の突起を有しており、セラミック又は鉱石の破砕或いは粉砕物とエラストマーの混練体によって構成されるシート。これを通常の枕の上面に配置すれば良い。【選択図】　図１
0003097184.tif 000002
【実用新案登録請求の範囲】
【請求項１】
多数の突起を有しており、セラミック又は鉱石の破砕或いは粉砕物とエラストマーの混練体によって構成されるものであることを特徴とする枕シート。
【考案の詳細な説明】
【０００１】
【産業上の利用分野】
本考案は、セラミックや鉱石の冷却効果によって快適な睡眠を得るべく、枕の上に配置するなどして使用する枕シートの構造に関するものである。
【０００２】
【従来の技術】
安眠にとって枕が重要であることは良く知られた事実であり、そのための工夫が凝らされた枕が種々多数存在している。そうした中に、頭寒足熱のセオリーに則り枕を形成する材質に、冷却効果を有するもの、放熱効果の大きいもの、を採用するものがある。木炭や竹炭、小さなプラスチック製丸パイプ、等がその代表である。
【０００３】
【考案が解決しようとする課題】
ところが枕の内部全てが冷却体（炭やパイプ）で満たされているにもかかわらず現実に使用者の頭部を冷却するのは表層付近の冷却体だけであり、他のほとんどは冷却に貢献していない。
【０００４】
また、こうした冷却タイプの枕を冬期忌避することがあるがそうした場合、通常用と冬期用の二種類の枕がなければ四季を通して安眠できないこととなる。
【０００５】
【課題を解決するための手段】
以上のような状況に鑑み、本考案者は鋭意研究の結果遂に本考案を完成したものでありその特徴とするところは、多数の突起を有しており、セラミック又は鉱石の破砕或いは粉砕物とエラストマーの混練体によって構成される点にある。
【０００６】
即ち本考案は、まず冷却体として「セラミック又は鉱石（以下「セラミック等」という）」を採用したこと、このセラミック等で「枕の主体」を構成するのではなく「枕の上に配置するシート」を構成するようにしたこと、このシートは頭部形状に添って枕が変形するのに追従しやすいようにエラストマー製とし且つ多数の突起を設けたこと、セラミック等は破砕或いは粉砕されて粒体或いは粉体となったものでありこれをエラストマーと混練したこと、を特徴としている。
【０００７】
セラミック等とエラストマー各々の材質の詳細、或いはこれらの混合比率については特に限定しないものとする。例えば、セラミックの粉砕品をエラストマー樹脂に１０〜８０％混入して、射出成型するなどの方法で製造すれば良い。
【０００８】
突起の形状についても特に限定しない。本考案者が試作実験した範囲では、高さ３〜１０ｍｍ程度直径１０〜２０ｍｍ程度の円柱形の突起が好ましいものであったが、これ以外の大きさ、形状の突起も本考案に含まれるものとする。
【０００９】
シート全体の大きさに関しても限定しない。例えば小さなサイズとして１５０ｍｍ×７５ｍｍのものを試作してみたが充分な効果があったし、４５０ｍｍ×２００ｍｍといった広いサイズ、或いはこれを超えるものであっても使いにくいということはなかった。
【００１０】
突起部分以外のシートの厚さは、厚すぎると頭を乗せた時に変形しにくくなるし、薄すぎると破損しやすくなるので強度上支障があるが、採用する材質によって最適値は異なるものであるので本考案において限定はしない。但し本考案者が試作した範囲では０．５〜２ｍｍ程度の厚さが適当であった。
【００１１】
【考案の実施の形態】
次に本考案を図面に示す実施の形態に基づいてより詳細に説明する。
【００１２】
図１及び図２は、本考案に係る枕シート１（以下「本考案シート１」という）の一例を示すものである。本例の本考案シート１は、市販されている典型的な合成ゴムとセラミック粉体を、重量比１：１で混練した後射出成型して得られたものである。そしてその全体形状は左右端がやや丸みを帯びた矩形状シートで、約３５０ｍｍ×１２０ｍｍの広さのものである。
【００１３】
本例の本考案シート１の上面には、多数の突起２が互いに接触しない位置関係で配置されている。これらの突起２は全て同じサイズの円柱状体であり、約１９ｍｍの径で高さは約５ｍｍである。またシート自体の厚さは約１ｍｍである。
【００１４】
この本考案シート１の使用方法は、枕の上に載置するだけでも良いが、枕の上部表面或いは枕カバーに、袋部分又は嵌め込み部分を作りこれに本考案シート１を挿入又は嵌め込むようにすれば良い。勿論これ以外の使用方法であっても良いものである。
【００１５】
【考案の効果】
以上説明した本考案に係る枕シートは、多数の突起を有しており、セラミック又は鉱石の破砕或いは粉砕物とエラストマーの混練体によって構成したことを特徴とするものであり、以下述べる如き効果を有する極めて有用な考案である。
【００１６】
（１）　セラミック等による冷却効果が、快適な睡眠に貢献する。
（２）　通常使用している枕の上に配置するだけであるので、四季を通じ気に入った枕をそのまま用いることができる。
【図面の簡単な説明】
【図１】本考案に係る枕シートの一例を示す平面図である。
【図２】本考案に係る枕シートの一例を示す中央断面図である。
【符号の説明】
１　　本考案に係る枕シート
２　　突起
【図１】
0003097184.tif 000003
【図２】
0003097184.tif 000004